(57)【要約】【課題】金属製ワーク（自動変速機用油圧制御装置のバルブボディ）を目視検査する作業者の肉体的負担を軽減する。【解決手段】支柱（基台）１４と、鉛直方向に沿う第一軸線Ｖ及び水平方向に沿う第二軸線Ｈの両軸線周りに回動可能となるように支柱（基台）１４に装着されたワークの載置台１８とを備え、載置台１８が、支柱（基台）１４に回動可能に装着された金属製の支持板１８３と、支持板１８３上に積層され支持板１８３と略同形状の無色透明のウレタン樹脂からなる上層板１８４とを有する目視検査用載置装置１０を提供する。【選択図】図２
2019095209.tif 000002
【特許請求の範囲】
【請求項１】
基台と、
鉛直方向に沿う第一軸線及び水平方向に沿う第二軸線の両軸線周りに回動可能となるように前記基台に装着されたワークの載置台とを備え、
前記載置台が、
前記基台に回動可能に装着された金属製支持板と、
前記金属製支持板上に積層され前記金属製支持板と略同形状の無色透明のウレタン樹脂からなる上層板とを有する
ことを特徴とする金属製ワークの目視検査用載置装置。
【請求項２】
前記基台が前記第一軸線に沿って立設された支柱を備え、
前記支柱の上端部において前記第一軸線周りに回動可能に支持されると共に前記載置台を前記第二軸線周りに回動可能に支持する軸受部が形成されたホルダ部材を設けた
ことを特徴とする請求項１に記載の金属製ワークの目視検査用載置装置。
【請求項３】
前記支柱が、
下端で基盤に固定された円筒状の外側支柱と、
前記外側支持柱内に摺動可能に挿入され上端部で前記ホルダ部材を回動可能に支持する内側支柱と、
前記内側支柱を前記外側支柱に対して固定する固定機構とを備えた
ことを特徴とする請求項２に記載の金属製ワークの目視検査用載置装置。
【請求項４】
前記ホルダ部材が、
前記載置台の回動を、前記載置台の上面が略水平となる水平位置と、前記載置台の上面が鉛直方向に対して直角以下の所定の角度となって作業者に対向する対向位置とでそれぞれ停止させる２つのストッパを備えた
ことを特徴とする請求項２〜３の何れか１項に記載の金属製ワークの目視検査用載置装置。
【請求項５】
前記水平位置で前記載置台の回動を停止する前記ストッパが、前記載置台を固定的に保持する仮固定機能を備えた
ことを特徴とする請求項４に記載の金属製ワークの目視検査用載置装置。
【請求項６】
前記金属製支持板と前記上層板との間に前記ワークの色と異なる明色系の色彩層を介在させた
ことを特徴とする請求項１〜５の何れか１項に記載の金属製ワークの目視検査用載置装置。
【請求項７】
前記色彩層の色が黄色である
ことを特徴とする請求項６に記載の金属製ワークの目視検査用載置装置。
【発明の詳細な説明】
【技術分野】
【０００１】
本発明は、金属製ワークに巣穴及びバリ、切粉等の異物が存在するか否かを目視によって検査する際に用いるワークの載置装置に関するもので、特に、車両に搭載される自動変速機の油圧制御装置を構成するバルブボディの目視検査に用いて好適な金属製ワークの目視検査用載置装置に関するものである。
【背景技術】
【０００２】
自動変速機用油圧制御装置を構成するバルブボディは、アルミニウムを鋳造成型後、切削、研磨等の工程を経て完成させるが、その製造工程において、巣穴やバリや切粉等の異物が残存したりする可能性がある。
巣穴、バリ、切粉等が残存すると、精密機器である自動変速機用油圧制御装置の性能を大きく害することとなるので、製造工程の最終段階において、巣穴、バリ、切粉等の残存の有無を目視によって検査、確認する必要がある。
従来、この目視検査は、作業者がバルブボディを目線の高さまで持ち上げて行っていた。
【発明の概要】
【発明が解決しようとする課題】
【０００３】
しかしながら、バルブボディは、通常、幅及び奥行きが３００mm上で高さが３０mm以上の直方体からなり、方々にバルブボア（スプール弁挿入孔）や油路のための孔が形成されているので、その全てを目視検査するために何度も持ち替える必要がある上、重量がかなり重い(通常２kg程度)ため、作業者に大きな肉体的負担を課していた。
【０００４】
本発明は、上記のような課題に鑑み創案されたものであり、目視検査における作業者の肉体的負担を大きく軽減できる目視検査用載置装置を提供することを目的としている。
【課題を解決するための手段】
【０００５】
（１）上記の目的を達成するために、本発明の金属製ワークの目視検査用載置装置は、基台と、鉛直方向に沿う第一軸線及び水平方向に沿う第二軸線の両軸線周りに回動可能となるように前記基台に装着されたワークの載置台とを備え、前記載置台が、前記基台に回動可能に装着された金属製支持板と、前記金属製支持板上に積層され前記金属製支持板と略同形状の無色透明のウレタン樹脂からなる上層板とを有することを特徴としている。
【０００６】
（２）前記基台が前記第一軸線に沿って立設された支柱を備え、前記支柱の上端部において前記第一軸線周りに回動可能に支持されると共に前記載置台を前記第二軸線周りに回動可能に支持する軸受部が形成されたホルダ部材を設けることが好ましい。
（３）前記支柱が、下端で基盤に固定された円筒状の外側支柱と、前記外側支柱内に摺動可能に挿入され上端部で前記ホルダ部材を回動可能に支持する内側支柱と、前記内側支柱を前記外側支柱に対して固定する固定機構とを備えることが好ましい。
【０００７】
（４）また、前記ホルダ部材が、前記載置台の回動を、前記載置台の上面が略水平となる水平位置と、前記載置台の上面が鉛直方向に対して直角以下の所定の角度となって作業者に対向する対向位置とでそれぞれ停止させる２つのストッパを備えることが好ましい。
（５）前記水平位置で前記載置台の回動を停止する前記ストッパが、前記載置台を固定的に保持する仮固定機能を備えることが好ましい。
【０００８】
（６）さらに、前記金属製支持板と前記上層板との間に前記ワークの色と異なる明色系の色彩層を介在させることが好ましい。
（７）前記色彩層の色が黄色であることが好ましく、緑色であることも好ましい。
【発明の効果】
【０００９】
本発明によれば、鉛直方向及び水平方向に関して回動可能な載置台にワークを載せて目視検査することができるので、載置台を回動させることにより様々な角度からワークの目視が可能となってワークを持ち替える回数が低減され、重いワークを手で保持することがなくなり、作業者の肉体的負担を大きく軽減することができる。
【００１０】
また、金属製支持板の上に無色透明のウレタン樹脂製の上層板を積層したので、ワークを上下方向に貫通する孔を目視検査する際に、上層板の側面から照明を照射するとウレタン樹脂の特性により光が拡散してワークの裏面側全体が明るくなり、数多くの貫通孔を、ワークを持ち替えることなく、また載置台に対する位置移動の必要もなく目視検査可能となる。
【００１１】
また、本発明によれば、載置台を支持する支柱を外側支柱と内側支柱の二重構造とすると共に両者を固定する固定機構を設けたので、載置台の高さが作業者の身長に応じて調整可能となり、作業者が無理な姿勢で検査を行うことがなくなる。
【００１２】
さらに、本発明によれば、載置台の回動を水平位置と対向位置で停止させるストッパを設けたので、載置台の無用な範囲への回動が防止されて作業性が向上する。
特に、載置台の回動を水平位置に停止させるストッパに、載置台を固定的に保持する仮固定機能を設けたので、ワークの側面を目視検査する際に、作業者が載置台を手で支える必要がなくなり、負担が軽減される。
【００１３】
さらにまた、本発明によれば、金属製支持板と上層板との間にワークの色と異なる明色系の色彩層を介在させたので、前記照明の効果に相乗して前記貫通孔の形態をより明確且つ正確に目視検査することが可能となる。
【図面の簡単な説明】
【００１４】
【図１】本発明の一実施形態に係る目視検査用載置装置の構成を示す正面図である。
【図２】本発明の一実施形態に係る目視検査用載置装置の構成を示す側面図である。
【図３】前記目視検査用載置装置のホルダの構成を示す正面図である。
【図４】前記目視検査用載置装置の載置台の積層構造を示す部分断面図である。
【発明を実施するための形態】
【００１５】
以下、図面を参照して本発明の実施形態を説明する。
なお、以下に示す実施形態はあくまでも例示に過ぎず、以下の実施形態で明示しない種々の変形や技術の適用を排除する意図はない。
【００１６】
図１乃至図３に示すように、本発明の一実施形態に係る目視検査用載置装置１０は、基盤１２上に鉛直方向に沿う第一軸線Ｖに沿うように立設された支柱（基台）１４と、同支柱１４の上端部に第一軸線Ｖ周りに回動可能に支持されたホルダ（ホルダ部材）１６と、同ホルダ１６に形成され水平方向に沿う第二軸線Ｈと同一軸線の軸心１６０を有する２つの軸受部１６１に第二軸線Ｈ周りに回動可能に支持され、図示しないワーク（バルブボディ）が載置される載置台１８とを主な構成部材としている。
上記構成により、載置台１８は、鉛直方向に沿う第一軸線Ｖ及び水平方向に沿う第二軸線Ｈの両軸線Ｖ，Ｈ周りに回動可能となるように支柱（基台）１４に装着された構成となる。
【００１７】
支柱１４は、下端が基盤１２に固定された円筒状の外側支柱１４２と、外側支持柱１４２内に摺動可能に挿入され上端部でホルダ（ホルダ部材）１６を軸受機構２０を介して回動可能に支持する内側支柱１４４と、内側支柱１４４を外側支柱１４２に対して固定する固定機構１４６とを備えている。
【００１８】
なお、固定機構１４６は、レバー１４７を回転することにより内径が縮径して内側支柱１４４を締め付け固定するリング部材１４８を備えた、従来周知の構成である。
また、軸受機構２０は、ホルダ１６、載置台１８及び載置台１８に載置されるワークの重量を支えられる容量を備えたものであれば、どのような構造のものでも良い。
【００１９】
ホルダ１６は、底辺部１６２が軸受機構２０に支持され、立辺部１６３の上部に軸受部１６１が装着された側面視でＬ字状の本体部１６４を備えている。軸受部１６１は、支持台１６５を介して本体部１６４に固定装着されている。
【００２０】
底辺部１６２の開放端（前端、図２の左端）には、ゴム製の当接部１６６を有する第一のストッパ１６７が、正面視（図３）において左右に２つ装着されている。同ストッパ１６７は、図２に実線で示す対向位置（載置台１８の上面が作業者に対向する位置）において、載置台１８の回動（図２における反時計方向の回動）を停止させるものである。
【００２１】
また、立辺部１６３の上端には、図２に２点鎖線で示す水平位置において載置台１８の裏面に当接して、載置台１８の回動（図２における時計方向の回動）を停止させる第二のストッパ１６８が設けられている。
【００２２】
第二のストッパ１６８は、立辺部１６３の上端に固定された突起部１６８ａと、載置台１８の裏側で突起部１６８ａに対応する位置に固定された凹部１６８ｂとを備えている。
そして、突起部１６８ａと凹部１６８ｂとは、載置台１８が図２に２点鎖線で示す水平位置となる直前で当接し、そこから作業者が僅かに力を加えることにより、凹部１６８ｂが弾性変形して突起部１６８ａに嵌合する、所謂スナップ止め機構を備えているので、載置台１８の水平位置において、作業者が載置台１８を支えなくても水平位置を保持することができる。
【００２３】
ホルダ１６の軸受部１６１により第二軸線Ｈ周りに回動可能に支持された載置台１８は、図１に示すように、両側に切り欠き１８１が形成された略矩形状の板状部材である。
切り欠き１８１は、作業者がバルブボディを載置台１８へ安全且つ効率的に積み下ろしできるように形成されたものである。
また、載置台１８の下辺部には、バルブボディの落下を防止するためのストッパ板１８２が装着されている。
【００２４】
さらに、載置台１８は、図４の部分断面図に示すように、裏面が軸受部１６１に支持される金属製支持板１８３（以下、単に支持板１８３という）と、照明を入光させ易い程度の厚さ（例えば、１０mm以上）の無色透明のウレタン樹脂製の上層板１８４と、支持板１８３と上層板１８４との間に介装された黄色の合成樹脂（例えば、ポリウレタン、アクリル等）製の色彩板１８５とを積層した構造となっている。
なお、支持板１８３は、図２に示すように、補助板１８６を介して軸受部１６１に支持されている。
【００２５】
上記構成により、作業者は、バルブボディ（ワーク）を図２に実線で示す対向位置において載置台１８上に載置し、載置台１８の側方又は上方から照明を当てることにより、手で保持することなく、バルブボディの表面、貫通孔等を正確に目視検査することができる。
【００２６】
また、載置台１８を水平位置まで回動させて第二のストッパ１６８で固定し、第一軸線Ｖ周りに回動させることで、バルブボディの側面及び同側面に穿設されたバルブボア等を、これも手で保持することなく目視検査できる。
【００２７】
さらに、バルブボディの裏面を検査する場合には、載置台１８を一旦対向位置へ戻し、バルブボディを手で置き換えることにより、手で保持する必要なく目視検査できる。
【００２８】
以上の通り、本発明の一実施形態による目視検査用載置装置１０によれば、作業者がバルブボディを常に手で保持する必要がなく、また、様々な角度からバルブボディを目視検査するための持ち替えの回数も大幅に低減できるので、作業者の肉体的負担を大きく軽減できるものである。
【００２９】
また、上層板１８４の側面から照明をすることにより、無色透明のウレタン樹脂の光拡散作用により、バルブボディの裏面側全体を明るくすることができ、バルブボディを上下方向に貫通する孔の目視検査が容易となる。
さらに、黄色の色彩板（色彩層）１８５の作用により、載置台１８とバルブボディとの輪郭が明確になって、より正確に目視検査することができる。
【００３０】
以上、本発明の実施形態を説明したが、本発明はかかる実施形態を適宜変形して実施することができる。
例えば、色彩板１８５の色は、黄色に限られるものではなく、緑色も好適であり、さらには、ワーク（通常、銀色）と異なる明色系の色であれば良く、ベージュ色、ペールオレンジ等を用いても良い。
【符号の説明】
【００３１】
１０  目視検査用載置装置
１４  支柱（基台）
１６  ホルダ（ホルダ部材）
１８  載置台
２０  軸受機構
１４２  外側支柱
１４４  内側支柱
１４６  固定機構
１６１  軸受部
１６７，１６８  ストッパ
１８３  金属製支持板
１８４  上層板
１８５  色彩板（色彩層）
Ｖ  第一軸線
Ｈ  第二軸線
【図１】
2019095209.tif 000003
【図２】
2019095209.tif 000004
【図３】
2019095209.tif 000005
【図４】
2019095209.tif 000006